Podtech/llm-jp-corpus-v4-ja_patent huggingface dataset:
(57)【要約】【課題】本発明は手軽に自宅、広場、その他何処でも、パッティングの効果が上がる練習ができる事を提供する。【解決手段】簡単且つ軽量なアーチ枠に錘台や効果音発生手段、打ったボールを元に戻す反発ネットを装着した簡単な、パット練習具である。【選択図】図１
2009018140.tif 000002
【特許請求の範囲】
【請求項１】
アーチ枠（１）の両端に、錘台（２）を設け、枠の中央部に止め金（３）を係止しこの止め金（３）に、細い針金（４）を固定してぶら下げ、さらに効果音パイプ（５）を、針金（４）の下端に取り付けて設ける、またアーチ枠（１）の両端下部にコイルバネ（６）を両端に設けた、反発ネット（７）を、このコイルバネ（６）でもって、装着して設けたことを特徴とする、ゴルフパッティング練習具。
【請求項２】
アーチ枠（１）に反発ネット（７）を装着しない、請求項１記載のゴルフパッティング練習具。
【発明の詳細な説明】
【技術分野】
【０００１】本発明は、ゴルフのパッティングが、自宅庭や室内、その他場所を選ばずに何処でも、簡単に設置でき、且つ楽しく、練習に集中出来、誰でも上達できるゴルフのパッティング技術向上に寄与する、パッティング練習具に関するものである。
【背景技術】
【０００２】従来から、ゴルフのパッティング練習に関する、その技術向上方法はいろいろ提案されている。しかしその大半が、帯状のマットの上でボールを転がして先端に設けられたホールに入れる形式のものや、パターを真直ぐ振り出すための、ガイドラインを設けて、パターの振り出しを矯正する、特開２００６−１２２１４２（パット練習器）、または特開２０００−１２６３５０（電子式ゴルフパット練習器）のごとく、レーザー光線を使った複雑で高価なもの等が多かった。
【発明の開示】
【発明が解決しようとする課題】
【０００３】これら従来のパット練習具は、ほとんどが直線ラインのパット狙いしか考えていないので、ゴルフグリーン周りの実践のパットとは程遠く、またこれらの器具を使用しても非常に単純であり、高価な割には長続きしなかった。
本発明は、これらの問題点を解消するためになされたものである。
【課題を解決するための手段】
【０００４】まずアーチ形状に形成した、アーチ枠（１）の両端にダイキャスト等の重たいもので作った、錘台（２）を装着して設ける。このアーチ枠（１）の大きさは片手で持てる程度であり、本発明によれば枠は２５０Ｌ・１００Ｈ・３φ、錘台の大きさは、５０φ・２０φ・２０Ｈ、程度の円錐形状が理想的なサイズである。さらに、止め金（３）に設けた針金（４）に、効果音パイプ（５）を吊り下げて、これをアーチ枠（１）の中央へ、止め金（３）部分で装着して係止する。次にコイルバネ（６）を両端４箇所に設け、反発ネット（７）を、枠にこのバネの先端を介して、装着する。あるいは、この反発ネット（７）は装着しなくても良い。
本発明は以上のような構成よりなる、ゴルフパッティング練習具である。
【発明の効果】
【０００５】本発明は、小型コンパクトで自宅庭、室内、その他どこでも練習が出来、１ｍ先でも、３ｍ先でも自由に置いて、パッティングが出来る。さらに直線的な狙いのカップインだけでなく、曲線カーブ狙いでトライする練習ができる。
また、ボールが真ん中のゲートに入ると、心地よい効果音が響き、また外れても反発ネットで、ボールが戻ってくる面白さもあり、集中力を切らさずに、楽しく練習に打ち込める。
【発明を実施するための最良の形態】
【０００６】ＳＵＳ３０４の丸棒またはパイプをアーチ形状に加工した、アーチ枠（１）を形成する。このアーチ枠（１）の両端の足部分に、重たいコンクリート材又はダイキャスト材等で固めて形成した、錘台（２）を装着して設ける。この枠は片手で簡単に持てる程度の大きさで、２５０Ｌ・１００Ｈ・３φぐらい、また錘台（２）は５０φ・２０φ・２０Ｈ程度の円錐形状がベストモードである。
次に止め金（３）に針金（４）を設け、この針金に対して、心地よい音を発する、効果音パイプ（５）を結びつけて設け、効果音発生手段（８）を形成する。
この前記発生手段を、止め金（３）でもって、アーチ枠（１）の中央部分に係止し、全体的に見て、これが風鈴のごとく装着されて設ける。次にコイルバネ（６）を両端４箇所に固定して設けた、反発ネット（７）をアーチ枠（１）の下部両端にコイルバネ（６）の先端を介して装着する。なおこの反発ネット（７）は装着しなくても良い。
本発明はこのように構成され、これを使用するときには、
【実施例】
【０００７】たとえば、自宅の庭の芝生に於いては、適当なる位置と距離に本発明を置くだけで良い。あとは、パットで効果音発生手段（８）を狙ってパッティングをすれば良い。つまりカーブトライでも、ストレートトライでも、パッティングが良ければ、効果音パイプ（５）にゴルフボールが接触して、カップインのごとく、カラカラン音、あるいはコーンとかキーンコン音、その他なんでも良いが心地よい音が奏でるのである。また、反発ネット（７）にボールが当たると、バネの力により打ったボールが、パッティング場所近くに戻ってくるので便利であり、練習に打ち込むことができる。
【図面の簡単な説明】
【０００８】
【図１】本発明の斜視図である。
【図２】本発明の実施説明図である。
【符号の説明】
【０００９】１  アーチ枠
２  錘台
３  止め金
４  針金
５  効果音パイプ
６  コイルバネ
７  反発ネット
８  効果音発生手段
【図１】
2009018140.tif 000003
【図２】
2009018140.tif 000004
(57)【要約】【課題】既存のペーパーホルダーでのペーパーカットは片手では難しかった。【解決手段】上蓋に裏側よりペーパーカッターを取り付けることにより既存のホルダーの外観を損なわず片手でペーパーを簡単にカットできる。【選択図】図１
2009018134.tif 000002
【特許請求の範囲】
【請求項１】
既存のペーパーホルダーの上蓋１に簡単に取り付けることの出来る構造を持つ形状でペーパー固定エッジ９を設けたことを特徴とする片手で切れるペーパーカッター。
【請求項２】
前記ペーパーカッターはロールペーパーを逆向き（反時計回り）にセットすることにより確実、簡単に紙をカットできる形状を特徴とする請求項１記載のペーパカッター。
【発明の詳細な説明】
【技術分野】
【０００１】この発明は従来のトイレットペーパーホルダーの上蓋に取り付け片手でペーパーを簡単確実にカット出来るペーパーカッターに関するものである。
【背景技術】
【０００２】従来のトイレットペーパーカッターは上蓋の先端７に刃の付いたもの。又上蓋に穴を開けそこにペーパーを通し先端に設けた波刃で片手にてカットする。
【発明の開示】
【発明が解決しようとする課題】
【０００３】しかしながら以上の技術によれば両手を使用しなければならず、又片手でカット出来るものは、工具をつかって取り付けなければならない。
そこで、この発明は簡単にセット確実にカット出来るペーパーカッターを提供することを課題とする。【０００４】以上の課題を解決するために、第一発明は、既存のペーパーホルダーの上蓋の裏側に両面テープ２を介して簡単にセットすることを特徴とするペーパーカッターである。
また第二発明は、ロールペーパーを逆向きに（反時計回り）にセットして使用する形状（ペーパー固定エッジ９を有する）であることを特徴とするペーパーカッターである。
【発明の効果】
【０００５】第一発明、または第二発明によれば安価で、だれにでも簡単に既存のペーパーホルダーに取り付けられ、片手で紙をカットできる。
【発明を実施するための最良の形態】
【０００６】この発明の一実施形態を図１に示す。
ペーパーカッター本体はステンレス製であり上蓋１の先端エッジ７に、固定用ヒンジ６を差し込み両面テープ２で接合させる。【０００７】「実施形態の効果」
この実施形態によれば工具は一切使用せず既存のホルダーにセットでき上蓋の裏面に接合するので既存の外観を損なわず、又紙をカットする際、必要量を開口部８より手前に引き出し下向きに力を加えれば固定エッジ９でロールペーパー本体がロックされ刃５にて素早く確実にカットできる。【０００８】「他の実施形態」
図１の実施形態では材質はステンレスであるが、既存の材質に合わせプラスチック製のものでも良い。
【図面の簡単な説明】
【０００９】
【図１】この発明の一実施形態を示す斜視図である。
【符号の説明】
【００１０】１  既存のペーパーホルダー上蓋
２  両面テープ
３  ロールペーパー（反時計回りセット）
４  ペーパーカッター本体
５  カッター刃
６  本体固定用ヒンジ
７  上蓋先端エッジ
８  開口部
９  ロールペーパー固定用エッジ
【図１】
2009018134.tif 000003
(57)【要約】【課題】  従来の刺激物付きコンドームは１枚からなるコンドームの表面上にそれらが施されているものの、気持ちがいいと実感するまでの効果は少なかった。これは表面上にじかに施された突起物が膣内に直接触れてしまうためである。そしてそれを装着する男性側への使用のメリットはなかった。【解決手段】  今までは１枚からなっていたコンドームを多重構造にし、その間に球状または半球状のボールを複数それぞれに亀頭以下の箇所に反固定で施し、さらにその上からもう１枚コンドームを被せて１枚目のコンドームとの間に潤滑剤を充填して入り口を閉じる。これにより突起物を直接敏感な性器に接触にさせること無く、反固定された球が潤滑剤によりまるで男性器の皮膚下に埋め込まれているような自然で複雑な動きに男女両者共が同時に快感を味わうことができる。【選択図】図１
2009018131.tif 000002
【特許請求の範囲】
【請求項１】
多重構造のコンドームの間に球状、もしくは半球状のボールを半固定し、さらに使用時にボールのすべりをよくするために潤滑剤を充填して閉じた突起物の動く感覚を楽しむためのコンドーム。
【請求項２】
請求項１の上にさらにもう１枚コンドームを被せる。被せたコンドームの間に潤滑剤を入れて充填し、入り口を接着もしくは熱圧着して閉じる。
【発明の詳細な説明】
【技術分野】
【０００１】    本発明は、性交の使用時に男女両者共に突起物が動く快感を得て避妊、性病を予防する目的のコンドームに関する。
【背景技術】
【０００２】    従来のコンドームには突起物を表面上に施したものがある。（例えば非特許文献１参照。）
フォームの始まり【０００３】以下、図１により従来の突起物付きコンドームについて説明する。
フォームの終わり
【非特許文献１】  「ｐｏｐ  ｌｉｆｅ  ｄｅｐａｒｔｍｅｎｔ．ｍ’ｓ  ｍ’ｓカタログ  ｖｏｌ．３」、株式会社ガーデン、２００５年、  ｐ．１６５
【発明の開示】
【発明が解決しようとする課題】
【０００４】  以上に述べた従来のコンドームでは女性側も十分な突起物の刺激を得られず男性にいたってはなんのメリットもなかった。よって男性はコンドーム装着に消極的だった。【０００５】  本発明はこのような従来の構成が有していた問題を解決しようとするものであり、女性、男性両者に同時に突起物の刺激を効果的に実感するための目的とするものである。十分な感覚を得て満足できれば避妊、性病対策のために装着するという本来のコンドームの目的を助長できる
【課題を解決するための手段】
【０００６】  刺激物となるボールを直接肌に当たるコンドームの表面上に装着するのではなくボールよりも一回りサイズの大きなシートを上から被せてそのまわりの淵を接着もしくは熱圧着する。ボールを袋状にとじこめて反固定し、使用する摩擦時に袋の中で微量に移動することを可能にする。【０００７】  その上から２枚目のコンドームを被せ１枚目のコンドームとの間に潤滑剤を充填して閉じ、さらにボールの滑りを良くする。【０００８】  また第２の課題解決手段は、コンドームと同素材のシートとシートの間に複数のボールを配置して空間のできる袋状になるようにボールのまわりをそれぞれ接着もしくは熱圧着して区切る。そしてこのボールが半固定されたシートを亀頭以下の部分のコンドームに巻いて接着もしくは熱圧着し、あとは上記と同様に２枚目のコンドームを被せ１枚目のコンドームとの間に潤滑剤を充填して入り口を閉じる。
【発明の効果】
【０００９】    これによりボールの性器への直接の接触を防ぎ、自然で適度な刺激を得ることができる。それだけではなくもう１枚コンドームを被せて潤滑剤を充填させた効果によってさらにすべりがよくなり男性器の皮膚下にボールが埋まっているかのような自然な感覚の快感を得ることができる。【００１０】  男性にも女性にも同時に刺激が伝わり両者共に快感が得られる。  従ってコンドームを直接装着する男性が進んで使用するようになり、避妊、病気予防への対策が促進される。
【発明を実施するための最良の形態】
【００１１】  以下、本発明の実地の携帯を図１〜図２に基づいて説明する。【００１２】  図においては、１は男性器に直接装着する１枚目のコンドームである。シリコン、ゴム、またはプラスチックの球状、もしくは半球状のボール２を被うシート３、１と３の淵を接着、または熱圧着４、して２を半固定する。【００１３】  図２は３のシートを２枚重ねて間にボールを接着、熱圧着で半固定して１のコンドームに後付けするものである。【００１４】そして２枚目のコンドーム５を被せる。１と５の間に潤滑剤６を充填して閉じる４。【００１５】  以下、上記構成の動作を説明する。図のコンドームが膣内に挿入されると充填物６の効果で１と５のコンドームの間にシート３で袋状の中に半固定されたボール２がずれて動く。摩擦のたびに起こる２のずれは男女両者の性器に、まるで男性器の皮膚下に埋め込まれたボールのような自然で気持ちのよい適度な刺激を与える。
【図面の簡単な説明】
【００１６】
【図１】  本発明の実施形態を表す刺激物付き多重構造のコンドームの横から見た外観図
【図２】  同コンドームの後付けする場合のボールが半固定されたシート
【符号の説明】
【００１７】    １、１枚目のコンドーム。２、シリコン、プラスチック、ゴム素材の球状、もしくは半球状のボール。３、ボールを半固定するためのシート。４、接着、または熱圧着面。５、２枚目の上から被せるコンドーム。６、充填された潤滑剤。
【図１】
2009018131.tif 000003
【図２】
2009018131.tif 000004
(57)【要約】      （修正有）【課題】割り箸と爪楊枝を一体化することにより、製造コストの削減及び爪楊枝の大型化を図ると共に、環境に対する影響を最小限に留める。【解決手段】割り箸本体２に割り溝３と割れ目３を入れ、爪楊枝１部分を取り外せる構造とする。【選択図】図１
2009018171.tif 000002
【特許請求の範囲】
【請求項１】
割り箸本体に割り溝と割れ目を入れて、それをはずすと爪楊枝になる。爪楊枝の割れ目の先端は曲線をつけて割れ目を先端から全体の２／３の位置まで入れる。
【請求項２】
割り箸と爪楊枝が一体になっていて割り箸の製造ライン内で爪楊枝をつくることができる。
【請求項３】
爪楊枝を従来のものより大きくすることができる。
【発明の詳細な説明】
【発明の詳細な説明】
【技術分野】
【０００１】本発明は、割り箸の本体から爪楊枝をつくりだそうとするものである。
【背景技術】
【０００２】従来の技術では、爪楊枝入り割り箸は、それぞれ作り包装のときに一緒にセットしたものである。
【発明が解決しようとする課題】
【０００３】爪楊枝と割り箸をそれぞれ製造しセットするコストの削減と爪楊枝を大きくすることで摘まみやすくし、割り箸と爪楊枝の限りある木から取れるその効率を最大限に良好にする。つまるところ、環境に対する影響を最小限にしようとする課題を解決しようとする。
【課題を解決する為の手段】
【０００４】上記課題を解決するために、割り箸と爪楊枝を一体化する。
【発明を実施するための最良の形態】
【０００５】図１は、割り箸に爪楊枝が一体になっているところ。
【発明の効果】
【０００６】本発明は、上記のとおりに構成されているので次の効果を奏する。
【０００７】請求項１については、割り箸の本体に爪楊枝が一体化しているが割り溝に沿って爪楊枝を指でつまんで引き離そうとすると爪楊枝が簡単にとれる。
割れ目の先端が曲線状になっているため従来の爪楊枝の先端のようになっている。
【０００８】請求項２については、割り箸と爪楊枝が一体化していて割り箸の製造ライン内で爪楊枝をつくりだすことは、爪楊枝の製造コストが皆無であることを意味する。
【０００９】請求項３については、爪楊枝をつまむ部分を太く、長くして老人や手の不自由な人に使いやすいようにユニバーサルデザイン化することができる。
【図面の簡単な説明】
【図１】割り箸と爪楊枝が一体化しているところの正面図
【図２】割り箸と爪楊枝が一体化しているところの側面図
【図３】爪楊枝と本体の割り箸切り離したところ。
【図４】爪楊枝と本体割り箸の一体化部分で爪楊枝の先端部分の拡大したところ。
【符号の説明】
１．  爪楊枝
２．  割り箸
３．  割り溝
４．  曲線をつけた割れ目の先端
【図１】
2009018171.tif 000003
【図２】
2009018171.tif 000004
【図３】
2009018171.tif 000005
【図４】
2009018171.tif 000006
(57)【要約】【課題】    従来のカッターシャツはクールビズ時に二番目のボタンで留めると胸元が窮屈であり、三番目のボタンで留めると広がり過ぎる。どちらも中途半端であるためクールビズ専用のクールビズボタンが必要であるという課題を有する。【解決手段】    クールビズボタンを設定して、クールビズ兼用カッターシャツを作りだす。【選択図】図２
2009018198.tif 000002
【特許請求の範囲】
【請求項１】
特に、日本社会のビジネス用としてクールビズ時のクールビズボタンを従来のカッターシャツの上から二番目と三番目のボタンの間に設定する。
オフ・クールビズ用カッターシャツとクールビズ用カッターシャツの兼用カッターシャツをつくる。  
【請求項２】
クールビズ時にはクールビズボタンを止めて、それより上の一番目と二番目のボタンを外すと従来のカッターシャツの二番目のボタンを外した状態より胸元が広めに開く。
【請求項３】
クールビズボタンは形体、材質、色を他のボタンと区別してデザイン的処理を施すことによりクールビズ兼用カッターシャツであることをアピールできる。
【請求項４】
ネクタイ着用時には従来のカッターシャツとなんら変わりはない。
【発明の詳細な説明】
【技術分野】
【０００１】
本発明は、従来のカッターシャツにボタンとボタン穴を一対付け加えてクールビズ用とオフ・クールビズ用のどちらでも対応できるようにしている。  
【背景技術】
【０００２】
現在、カッターシャツにはクールビズ用とオフ・クールビズ用の区別はなく、クールビズ時に一番目のボタンを外して胸元を広げても窮屈に感じ、三番目のボタンを外すと広がりすぎてビジネス用としてはラフ過ぎるように感じる。
ビジネス用のクールビズとして丁度良い胸元の広がりを実現するカッターシャツは現在ない。
【０００３】
この改善策として二番目と三番目の間にクールビズボタンとそのボタン穴を一対設定する。
【発明の開示】
【発明が解決しようとする課題】
【０００４】
解決しようとする問題は、クールビズ時にカッターシャツのボタンを外して胸元を広げる場合現在市販されているカッターシャツの一番目のボタンを外しても窮屈に感じるが、二番目のボタンまで外してしまうとあまりにも広がり過ぎてラフになるため、丁度良い広がり方を求めようとするものである。
【課題を解決するための手段】
【０００５】
本発明は、現在のカッターシャツの二番目と三番目のボタン位置の中間にクールビズボタンをつけることである。
【発明の効果】
【０００６】
本発明のクールビズボタンを設定したカッターシャツはクールビズ、オフ・クールビズの両方で対応でき、クールビズボタンを付けることでクールビズを推進していることをアピールできる。
【発明を実施するための最良の形態】
【０００７】
クールビズボタンは形体、材質、色を他のボタンと区別してデザイン処理を施すことができる。
【実施例１】
【０００８】
図１は、クールビズ兼用カッターシャツをクールビズ時にクールビズボタンで留めているところである。
【実施例２】
【０００９】
図２は、クールビズ兼用カッターシャツの二番目のボタンで留めているところで、従来のカッターシャツの留め方である。
【実施例３】
【００１０】
図３は、クールビズボタンとその穴を二番目と三番目のボタンの間に一対で設置しているところである。
【実施例４】
【００１１】
図４は、ネクタイ着用時の全部のボタンを留めているところでネクタイに総てのボタンが隠れている。
【産業上の利用可能性】
【００１２】
本発明のクールビズボタンを設置することによりオフ・クールビズとクールビズの兼用カッターシャツをつくることができる。
【図面の簡単な説明】
【００１３】
【図１】クールビズ専用ボタンであるクールビズボタンで留めているところ。（実施例１）
【図２】二番目のボタンで留めているところ。（実施例２）
【図３】クールビズ兼用カッターシャツのボタンとそのボタン穴の位置関係を示したところ。（実施例３）
【図４】ネクタイ着用時で全部のボタンを留めたところ。（実施例４）
【符号の説明】
【００１４】
1．クールビズボタン
2．クールビズボタンの穴
3．一番目ボタン
4．二番目ボタン
5．三番目ボタン
6．一番目ボタンの穴
7．二番目ボタンの穴
8．三番目ボタンの穴
9．ネクタイ
【図１】
2009018198.tif 000003
【図２】
2009018198.tif 000004
【図３】
2009018198.tif 000005
【図４】
2009018198.tif 000006
(57)【要約】【課題】粘性が強くて流動しにくい内容物を、確実に必要量ずつ押し出し、別の口から空気を吸い込ませることによって、容器を迅速にもとの形に膨らませ、続けて次の押し出し作業ができるようにした可撓性プラスチック容器を提供する【解決手段】容器の底部にたまっている内容物を、底部のノズルから押し出した後、上方のノズルの蓋を開いて迅速に空気を吸い込ませ、容器を膨らませることにより、続けて下方の口から内容物を押し出すことを容易にした可撓性プラスチック容器。【選択図】図１
2009018864.tif 000002
【特許請求の範囲】
【請求項１】
粘性のある液体やエマルジョンの容器において、内容物を押し出すノズルを、容器の上部と下部の双方に作り、下方に位置するノズルから内容物を押し出した後、反対側にあるノズルから空気を吸い込ませることにより、内容物の残量の多少にかかわらず迅速に容器の形状を回復し、次の押し出し作業を容易に行えるようにした、可撓性プラスチック容器。
【発明の詳細な説明】
【技術分野】
【０００１】  本発明は、粘性のある液体を入れた、弾力性を有するプラスチック容器において、内容物の残量の多少にかかわらず、内容物を容器外に同じように押し出し、かつ、次の押し出し作業を迅速に行うことができるように、容器内に空気をスムーズに吸入させることのできる構造のものである。
【背景技術】
【０００２】  従来、木工ボンドやマヨネーズ等、粘性のある液体やエマルジョンを、容器の可撓性を利用して必要量ずつ押し出すプラスチック容器が使用されている。
【発明の開示】
【発明が解決しようとする課題】
【０００３】  従来の容器では次のような問題点があった。
（イ）粘性のある液体やエマルジョンを容器から押し出す場合、中身が十分多量に入っている場合は問題なくしぼり出せるが、中身が少なくなるにつれて容器から内容物を押し出しにくくなっていた。
（ロ）続けて中身を押し出すために、容器をもとの形に膨らませようとしても、粘性の高い内容物に妨げられて、容器の中に空気を吸い込ませる作業が大変困難であった。
本発明は、上記の問題点を解決するためのものである。
【課題を解決するための手段】
【０００４】容器の上下双方に押し出し口兼空気吸い込み口としてのノズルを設け、それぞれにねじ蓋またはヒンジのついた蓋をつけ、下方のノズルを押し出し口として使ったあと、上方のノズルを開いて空気吸い込み口にすることにより容器を膨らませ、粘性のある内容物を続けてスムーズに押し出すことかできるようにするものである。
【発明の効果】
【０００５】  容器から内容物を押し出すにあたり、内容物の残量が少なくなってからも、内容物が容器内をゆっくり流下移動する時間を待たずに、続けて内容物を押し出すことができる。
また、上下のノズルの口径を大小異なる大きさにしておけば、どちらを下にして立てるかで、一度に押し出す分量を加減しやすくなる。
【発明を実施するための最良の形態】
【０００６】  以下、本発明の形態と使用について説明する。
図１のように、弾力性のある材料で作った容器の、上下両方に押し出し口のノズルと、それを開閉するための、ねじ蓋またはヒンジ付きの蓋をつける。
本発明を使用するときは、あらかじめ立てておいた容器の、下方のノズル（５）の蓋（７）を開いて、必要量を押し出す。
次に（７）を閉じて、容器の上方に設けたノズル（６）の蓋（８）を開く。
内容物は自重のため下方に下がっていて、容器内の上部、即ち、上方のノズル付近には内容物が無いので、スムーズに空気を吸い込むことができる。
（８）の蓋を閉め、（７）の蓋を開いて、次の必要量を押し出す。
【図面の簡単な説明】
【０００７】
【図１】本発明の縦断面図。
【符号の説明】
【０００８】１  プラスチック容器の本体。
２  粘性のある内容物。
３  内容物が移動したあとにできた空間
４  内容物である液の表面
５  片方のノズル
６  もう一方のノズル
７  ノズルを閉じる蓋
８  もう一方のノズルを閉じる蓋
【図１】
2009018864.tif 000003
(57)【要約】【課題】家庭内からでる使用済みのペットボトルやアルミ缶、紙パックなどのカサバルゴミを家庭内で簡単に少量化して排出する小型のカサバルゴミのダイエット器を提供する。【解決手段】カサバルゴミのうちペットボトルについては、温水で洗浄後円筒の容器に入れて加圧板で圧縮する。アルミ缶やその他のものは、そのまま円筒に入れて、加圧板で圧縮する。【選択図】図７
2009018341.tif 000002
【特許請求の範囲】
【請求項１】
底部に蓋を有する円筒の縦方向に２ヶ所ずつ左右対称となる４ヶ所のガイド溝を設けた該円筒と、該円筒の内径より少し小さい直径の圧縮用の円形の加圧板からなるカサバルゴミの家庭用小型ダイエット器。
【請求項２】
請求項１の加圧板の中央部に円形の孔を穿ち、さらに、該加圧板を押し下げるための前記ガイド溝に合わせた幅を有する取手を取り付けたカサバルゴミの家庭用小型ダイエット器。
【請求項３】
請求項１の円筒の内底部に、圧縮効率を上げるための調整板を有するカサバルゴミの家庭用小型ダイエット器。
【発明の詳細な説明】
【技術分野】
【０００１】本発明は家庭内から出る使用済みのペットボトルやアルミ缶。牛乳やジュース類、ヨーグルトなどの紙パック、菓子類や日用品の空き箱などのカサバルゴミを圧縮して体積を減らすための、カサバルゴミの少量化に関するものである。
【背景技術】
【０００２】家庭内から出る使用済みのペットボトル、アルミ缶、牛乳やジュース類などの紙パック、菓子類の空箱などカサバルゴミを家庭内で容易に少量化する簡易で小型の技術はない。
【発明の開示】
【発明が解決しようとする課題】
【０００３】家庭内から排出されるペットボトルなどのカサバルゴミを、家庭内では容易に少量化できないため、それらのゴミはそのまま排出され、ゴミ収集が有料化される趨勢にある現状において、排出量を少量化し家計の負担の軽減を図るのが課題である。
【課題を解決するための手段】
【０００４】このため、第１の発明は請求項１にあるように、底部に蓋を有する円筒の縦方向に、２ヶ所ずつ左右対称となる４ヶ所のガイド溝を設けた円筒であり、第２の発明は該円筒の内径より少し小さい直径の圧縮用の円形の加圧板からなり、該加圧板は請求項２にあるように、その中央部に円形の孔を有し、さらに該加圧板を押し下げるための前記ガイド溝に合わせた幅を有する取手を取り付け、さらに第３の発明は請求項３にあるように、該円筒の内底部に圧縮効率を上げるための調整板を有するもので、第１の発明、第２の発明、第３の発明が一体となってカサバルゴミを圧縮して少量化するものである。
ペットボトルなどのカサバルゴミを請求項１にある容器に入れ、請求項２にある蓋を用いて加圧すると、カサバルゴミの体積は３分の１から４分の１まで少量化する。
【発明の効果】
【０００５】本発明は，ゴミ収集を有料化している自治体が８割を越えており、将来的にはすべての自治体において有料化されるものと思われる。そのため家庭内から排出されるゴミの体積量を少量化することによって、家計にあたえる負担を軽減する効果は大きい。また、家庭内で少量化することによって、ゴミ収集日までの家庭内での保管が容易である。さらに、ペットボトル、アルミ缶、牛乳やジュース類の紙パック、菓子類の空箱などに対応できる多様性がある。
【発明を実施するための最良の形態】
【０００６】以下、本発明を実施するための最良の形態について図面を参照しながら説明する。図１はカサバルゴミを入れる円筒の正面図である。円筒１の底部を蓋３で閉塞し、図３の加圧板５に取り付けた取手７のガイド溝２を該円筒に２ヶ所が対称となるように４ヶ所設ける。該ガイド溝の切り込みの深さは該蓋の天端までとする。さらに、該円筒の内底部に該ゴミの圧縮効率を上げるため、調整板４を設ける。【０００７】図３は、前記円筒１にセットされたカサバルゴミを圧縮するための加圧板５の平面図である。該加圧板の直径は、該円筒の内径より数ミリ小さいものとし、該加圧板の中央部にはペットボトルの首部を固定するための孔６を設ける。さらに、該加圧板をガイド溝２に沿って押し下げるための取手７を溶接する。取手の形状については本実施例では矩形状であるが、本実施例に限定するものではない。その他の方法としては、該取手の両端部は円形状にする方法などがある。また、該取手を該加圧板に取り付ける方法については、本実施例では溶接する方法を用いているが、本実施例に限定するものではない。その他の方法として、サドルバンドで取り付ける方法などがある。
【実施例１】
【０００８】ペットボトルは常温で加圧圧縮しても、除圧するとほぼ原形に復元するが、温水で暖めてから、圧縮すると復元しないという性質がある。本実施例は、このようなペットボトルの性質を利用したものである。空のペットボトルに約５０度以上の少量の温水を入れてキャップをして洗浄する。キャップを外して、該温水を排水して、該ボトルを図１の円筒１にセットし、図３の加圧板５の固定孔６に該ボトルの首部を挿入し、該加圧板を該円筒に設けたガイド溝２沿って手で取手７にて一気に押し下げる。圧縮された該ボトルは首部が突出しているので、該ボトルを該円筒から一旦取り出し、逆さまにして、再び該円筒にセットして該加圧板にて加圧する。
【実施例２】
【０００９】空のアルミ缶や紙パック、菓子の空き箱などについては、前記円筒にセットして、前記加圧板を前記取手にて一気に押し下げて圧縮する。
【産業上の利用可能性】
【００１０】本発明に係るカサバルゴミダイエット器は、家庭用の小型で簡易なものであり，多種のカサバルゴミに対応でき、家庭内で少量化して排出するため、家計への負担が軽減され、かつ、ゴミ運搬車の運搬効率が上がるという産業上の利用可能性を有する。
【図面の簡単な説明】
【００１１】
【図１】本発明の実施例を示す、円筒の正面図である。
【図２】本発明の実施例を示す、円筒の平面図である。
【図３】本発明の実施例を示す、加圧板の平面図である。
【図４】本発明の実施例を示す、加圧板の側面図である。
【図５】本発明の実施例を示す、調整板の平面図である。
【図６】本発明の実施例を示す、調整板の側面図である。
【図７】本発明の実施例を示す、ペットボトルの場合の使用状況図である。
【図８】圧縮されたペットボトルの状況図である。
【符号の説明】
【００１２】１  ダイエット器円筒本体
２  ガイド溝
３  底部蓋
４  調整板
５  加圧板
６  ペットボトル首部固定孔
７  取手
８  空のペットボトル
９  圧縮されたペットボトル
【図１】
2009018341.tif 000003
【図２】
2009018341.tif 000004
【図３】
2009018341.tif 000005
【図４】
2009018341.tif 000006
【図５】
2009018341.tif 000007
【図６】
2009018341.tif 000008
【図７】
2009018341.tif 000009
【図８】
2009018341.tif 000010
(57)【要約】【課題】本発明は、モータから筐体へ伝達される振動を軽減させるカラーホイール装置を提供する。【解決手段】本発明に係るカラーホイール装置１は、回転によって光源からの光を透過特性に応じて着色光に分光するカラーホイール５と、カラーホイール５を駆動させるモータ４と、光学ユニットに固定される取り付け板２と、モータ４と取り付け板２との間に設けられ、モータ４と共に取り付け板２に固定される少なくとも１つ以上の板金部材３とを備えている。【選択図】図１
2009265137.tif 000002
【特許請求の範囲】
【請求項１】
リアプロジェクション映像機器に備えられたカラーホイール装置であって、
回転によって光源からの光を透過特性に応じて着色光に分光するカラーホイールと、
前記カラーホイールを駆動させるモータと、
光学ユニットに固定される取り付け板と、
前記モータと前記取り付け板との間に設けられ、前記モータと共に前記取り付け板に固定される少なくとも１つ以上の板金部材とを備える、
カラーホイール装置。
【請求項２】
請求項１に記載のカラーホイール装置であって、
前記少なくとも１つ以上の板金部材が接着剤によって固定されることを特徴とする、
カラーホイール装置。
【発明の詳細な説明】
【技術分野】
【０００１】
本発明は、カラーホイール装置を備えるリアプロジェクション映像機器に関するものである。
【背景技術】
【０００２】
従来のカラーホイール装置を備えるリアプロジェクション映像機器では、カラーホイール装置の駆動用モータからリアプロジェクション映像機器の筐体に伝達される振動によって騒音が発生する等の問題があった。モータからの振動を抑える改善策として、防振ゴムを用いることにより駆動モータから筐体に伝達される振動を減少させ、低騒音化を図る防振構造について特許文献１に開示されている。
【０００３】
【特許文献１】特開平７−１９５１６号公報
【発明の開示】
【発明が解決しようとする課題】
【０００４】
しかしながら、特許文献１の従来技術は、モータの特性により低周波帯域の振動が問題となる場合、高周波帯域に対して効果があると知られている防振ゴムでは、十分な効果が得られないこともあった。又、低周波帯域についていえば、防振ゴムが弾性体であるためゴムの性質上、モータがしっかりと固定されている訳ではない。そのため、場合によってはしっかりと固定されている方が防振効果を得られるケースも多々ある。
【０００５】
本発明は、これらの問題を解決するためになされたものであり、少なくとも低周波帯域の振動を軽減させるカラーホイール装置を提供することを目的とする。
【課題を解決するための手段】
【０００６】
モータの振動を軽減させる課題を少なくとも１つ以上の板金部材を用いて構成することで実現した。
【０００７】
この発明の主題に係るカラーホイール装置は、回転によって光源からの光を透過特性に応じて着色光に分光するカラーホイールと、カラーホイールを駆動させるモータと、光学ユニットに固定される取り付け板と、モータと取り付け板との間に設けられ、モータと共に取り付け板に固定される少なくとも１つ以上の板金部材とを備える。
【発明の効果】
【０００８】
本発明は、少なくとも１以上の板金部材をモータと取り付け板との間に設けて、モータと共に取り付け板にしっかりと固定したので、少なくとも低周波帯域の振動を軽減させることができる。
【０００９】
又、少なくとも１以上の板金部材から構成するようにしたので、ダイキャストを用いても加工が困難な板厚の取り付け板の作成もプレス加工で可能となる。
【発明を実施するための最良の形態】
【００１０】
（実施の形態１）
図１は本実施の形態に係るカラーホイール装置の概略構成を示す斜視図であり、図２は本実施の形態に係るカラーホイール装置の概略構成を示す側面図である。
【００１１】
先ず、本発明の主要な構成について詳述する。図１に示すようにカラーホイール装置１は、回転によって光源からの光を透過特性に応じて着色光に分光するカラーホイール５がモータ４に取り付けられており、このカラーホイール５を取り付けられたモータ４が少なくとも１つ以上の板金部材３と共に取り付け板２に固定される。尚、少なくとも１つ以上の板金部材３は、モータ４と取り付け板２との間に設けられ、固定ネジ６によってモータ４と共に取り付け板２に固定される。又、少なくとも１つ以上の板金部材３は、取り付け板２と共に剛体であり、固定ネジ６によって固定されているので、製品の分解、分離の容易性が得られる。
【００１２】
カラーホイール装置１は、上記の様な構成からなっており、取り付け板２が光学ユニット（図示せず）の所定の位置に固定されることによって、リアプロジェクション映像機器(図示せず)に組み込まれるようになっている。
【００１３】
次に、カラーホイール装置１に於いて、モータ４により発生した振動は、取り付け板２を介して光学ユニットに伝わる。そして、更に光学ユニットに伝わった振動がリアプロジェクション映像機器に伝わることにより、騒音となってリアプロジェクション映像機器の性能に影響を及ぼしていた。
【００１４】
しかし、少なくとも１以上の板金部材３をモータ４と取り付け板２との間に設けることでカラーホイール装置１の重量が増し、モータ４と共に取り付け板２にしっかりと固定されるので、光学ユニット及びリアプロジェクション映像機器に伝達される振動が軽減され、それにより騒音が軽減する。よって、リアプロジェクション映像機器の耐久性も向上する。
【００１５】
（変形例）
尚、本実施の形態においては、少なくとも１つ以上の板金部材３の固定に固定ネジ６を使用したが、接着剤を用いても差し支えない。
【００１６】
少なくとも１つ以上の板金部材３の固定に接着剤を用いて、モータ４及び取り付け板２をしっかりと固定するようにしたので、固定ネジ６及びネジ穴（図示せず）が不要となり、製造工程に於いて加工が容易となる。
【産業上の利用可能性】
【００１７】
本発明の活用例として、カラーホイール装置を備えるリアプロジェクション映像機器に適用できる。
【図面の簡単な説明】
【００１８】
【図１】本発明の実施の形態に係るカラーホイール装置の概略を示す斜視図である。
【図２】本発明の実施の形態に係るカラーホイール装置の概略を示す側面図である。
【符号の説明】
【００１９】
１  カラーホイール装置、２  取り付け板、３  板金部材、４  モータ、５  カラーホイール、６  固定ネジ。
【図１】
2009265137.tif 000003
【図２】
2009265137.tif 000004
(57)【要約】 【課題】風や雨によって幟旗が靡いても縦棒に巻き付かない幟旗クリップの提供。 【解決手段】  幟旗の上部の乳に上竿を通し、幟旗の縦の乳を縦棒に通して使われる幟旗の乳の内側に取り付けられ、かつ縦棒の周囲を周回する介在部と、該介在部の両側に一体に延長し、該延長部で幟旗を挟む取り付け部と、前記介在部と前記取り付け部との間には前記取り付け部が乳の内側から外側に跨ぐシート状の幟旗クリップであって、前記縦棒を周回して挟む部分と幟旗を挟む両先端付近にて幟旗を留める部分にそれぞれに留め部を有し、幟旗が靡くときに幟旗と幟旗クリップがシンクロナイズして、幟旗と幟旗クリップが一体となって靡く幟旗クリップ 【選択図】図２
2009265144.tif 000002
【特許請求の範囲】
【請求項１】
幟旗の乳の内側に取り付けられ、かつ縦棒の周囲を周回する介在部と、該介在部の両側に一体に延長し、該延長部で幟旗を挟む取り付け部と、前記介在部と前記取り付け部との間には前記取り付け部が乳の内側から外側に跨ぐシート状の幟旗クリップであって、前記縦棒を周回して挟む部分と幟旗を挟む両先端付近に幟旗を留める部分にそれぞれに留め部を有することを特徴とする幟旗クリップ。 
【発明の詳細な説明】
【技術分野】
【０００１】
本発明は幟旗の上部の乳を上竿に通し、幟旗の縦の乳を縦棒に通して使われる幟旗が風邪で靡いたときに幟旗が縦棒に巻き付いたり、巻き上げられたりするのを防止するための幟旗クリップに関するものである。
【背景技術】
【０００２】
風で靡く幟旗は店頭での宣伝訴求効果があるが、風で巻き上げられたり、縦棒に巻き付いたりした幟旗は店頭での宣伝訴求を害するものになっていた。 
幟旗が縦棒に絡むのを防止するための特許文献１では幟旗の乳が乾いているときには乳は縦棒の外周を周回し幟旗の絡み防止の効果があった。しかし雨で乳が濡れると幟旗の乳が縦棒にひっついて、幟旗と乳がシンクロナイズされずに風で幟旗が靡くと幟旗が縦棒に巻き付いたり、幟旗が縦棒に巻き付くと上竿が下部のほうに引っ張られて、上竿が折れたりした。叉、特許文献２では乳が縦棒にひっつかないように乳と縦棒の間に樹脂の輪を挿入しているが風が強いと幟旗と乳がシンクロナイズされずに縦棒に絡んだり、巻き付いたりした。 
【特許文献１】特許第４０１００９３号
【特許文献２】登録実用新案第３０４５８６５号
【発明の開示】
【発明が解決しようとする課題】
【０００３】
幟旗が強風で靡くときは幟旗が縦棒に巻き付いたり、雨で濡れた乳が縦棒にひっついて幟旗とクリップが連動して動かなくなり、縦棒に絡みついた。   
従来は引用文献１のように縦棒に遊嵌して幟旗をクリップするものがあったが乳が雨で濡れると乳と縦棒がひっついて幟旗が靡いたときに雨で濡れた乳が縦棒にひっついてクリップと幟旗がシンクロナイズされずに幟旗が縦棒に巻き付いたりした。 
叉特許文献２のように乳の内側の縦棒に樹脂の輪を縦棒に遊嵌するように嵌めるものもあったが、幟旗が激しく靡くと乳と幟旗がシンクロナイズされずに縦棒に巻き付いた。本発明は、以上の問題点を解決するものである。 
【課題を解決するための手段】
【０００４】
幟旗の上部の乳を上竿に通し、幟旗の縦の乳を縦棒に通して使われる幟旗で、縦棒に通した幟旗の乳と縦棒の間に乳が縦棒に接触しないように、柔軟性のある水分を含まない樹脂等からできた旗クリップを乳の内側に介在させ、乳の先にある旗面では縦棒と乳の間の介在部を両側に一体に延長したシート状の延長部で幟旗を挟む部分と縦棒を挟む部分に留め部を有し、幟旗が靡くときに幟旗と乳が幟旗クリップと一体となって靡くことを特徴とした幟旗クリップ。 
【発明の効果】
【０００５】
本発明の旗クリップを使うことによって雨で濡れた乳は幟旗クリップにひっついて、幟旗を挟んだ幟旗クリップと幟旗が一体となって靡くので幟旗は縦棒に絡まなくなり、幟旗によって宣伝訴求効果を上げて、店舗イメージを高めることが出来る。叉、従来幟旗に縫いつけられていた乳を省き、従来の乳の替わりに本発明の旗クリップを使うことも出来る。 
【発明を実施するための最良の形態】
【０００６】
以下、本発明の実施の形態について説明する。 
図２の２点差線で示す旗クリップ（３）のようにあらかじめ縦棒（２）を挟むように旗クリップをセットして実線で示す旗クリップのように乳（１）と縦棒（２）の間に当該旗クリップの介在部を挿入して両側に一体となって延長した先の旗クリップ（３）で幟旗（６）の留め部Ａ（９）で幟旗を挟んで、幟旗クリップ（３）をセットする。幟旗クリップ（３）は縦棒の種種の太さに合わせて遊嵌してセットできるように留め部Ｂ（１０）にファスナー（５）或いは溝（Ｍ）を設け位置決め具メグ（Ｌ）で位置決めする方法等がある。幟旗クリップは柔軟な樹脂材等であるが図３の切り欠き（Ｋ）は幟旗クリップがより縦棒に沿いやすく、曲がりやすくするために設けものである。 
【実施例】
【０００７】
図１は上竿（４）と縦棒（２）に乳（１）を通して使われる幟旗（６）の使用状態である。図２は本発明の実施例で縦棒（２）に通した乳（１）と縦棒（２）の間に幟旗クリップ（３）を用いた例である。叉、縦棒に通す乳を省略し、乳が縫いつけられていない幟旗でも、幟旗の任意の位置に本発明の旗クリップを用いることによって従来の乳のある幟旗と同様な効果をだすことが出来る。 
【産業上の利用可能性】
【０００８】
広告宣伝資材としての幟を宣伝訴求効果のある広告資材として有効活用出来る。 
【図面の簡単な説明】
【０００９】
【図１】幟旗の使用状態図
【図２】本発明の使用状態図
【図３】旗クリップの平面図
【図４】旗クリップの側面図
【図５】図２のイーイ断面図
【図６】図２のローロ断面図
【符号の説明】
【００１０】
１：乳 
２：縦棒 
３：幟旗クリップ 
４上竿 
５ファスナー 
６：幟旗 
７：介在部 
８：延長部 
９：留め部Ａ 
１０：留め部Ｂ 
Ｈ：フック
Ｋ：切り欠き 
Ｍ：溝 
Ｌ：位置決め具 
【図１】
2009265144.tif 000003
【図２】
2009265144.tif 000004
【図３】
2009265144.tif 000005
【図４】
2009265144.tif 000006
【図５】
2009265144.tif 000007
【図６】
2009265144.tif 000008
(57)【要約】【課題】本発明は、例えばコンパクトなデジタルカメラを内蔵するハウジング筐体の下側の側縁部を何らかの物体にぶつけても傷が付かなく、しかもカラフルな色彩も期待できるハウジング筐体の外側プロテクタを提供する課題にある。【解決手段】本発明は、カメラ本体を内部に収納し外部から前記カメラを操作できるハウジング本体と、該ハウジング本体の前面部から該ハウジング本体の底部に亘って取付けられたプロテクタ本体とからなり該プロテクタ本体によって前記前面部の底部の側縁部を衝突から保護するようにしたことを特徴とするハウジング筐体の外側プロテクタ。【選択図】図１
2009265150.tif 000002
【特許請求の範囲】
【請求項１】
カメラ本体を内部に収納し外部から前記カメラを操作できるハウジング本体と、該ハウジング本体の前面部から該ハウジング本体の底部に亘って取付けられたプロテクタ本体とからなり該プロテクタ本体によって前記前面部の底部の側縁部を衝突から保護するようにしたことを特徴とするハウジング筐体の外側プロテクタ。
【請求項２】
前記プロテクタ本体は弾力性を有し色付けされていることを特徴とする請求項１項記載のハウジング筐体の外側プロテクタ。
【発明の詳細な説明】
【技術分野】
【０００１】
本発明は、カメラを内蔵するハウジング筐体の前面部を何らかの衝撃から保護し、且つ色彩も豊かになるハウジング筐体の外側プロテクタに関するものである。
【背景技術】
【０００２】
従来、耐圧、耐水性の機能を有し、水中で扱うコンパクトなデジタルカメラは多くはハウジング筐体内に内蔵され、防水性を維持しながら使用されているが、このようなハウジング筐体は例えばアルミニュウム製であるために外部に傷がつき易い。即ち海中で被写体に接近する場合、覗くことに神経が集中し周囲に岩などが存在することに気が付かず被写体に接近し、岩にぶつけて傷をつけることが多く生じている。そして、電子製品等を他の物にぶつけないようにプロテクトするようなものは多く存在する。
【０００３】
特許文献１及び２等のようにプロテクトする工夫は存在するがカメラを内蔵するハウジング筐体の特定個所をプロテクトするものは存在しない。特許文献１は台車などのプロテクトであり、特許文献２は配線材をプロテクトするものである。従って、これらの文献ではデジタルカメラ内蔵のハウジング筐体の側縁部をプロテクトすることはできない。
【特許文献１】特開２００７−２３６８１号公報
【特許文献２】特開２００７−１２４７１２号公報
【発明の開示】
【発明が解決しようとする課題】
【０００４】
本発明が解決しようとする問題点は、例えばコンパクトなデジタルカメラを内蔵するハウジング筐体の下側の側縁部を何らかの物体にぶつけても傷が付かなく、しかもカラフルな色彩も期待できるハウジング筐体の外側プロテクタを提供する課題にある。
【課題を解決するための手段】
【０００５】
本発明は課題解決の手段として、カメラ本体を内部に収納し外部から前記カメラを操作できる金属性のハウジング本体と、該ハウジング本体の前面部から該ハウジング本体の底部に亘って取付けられた弾力性のあるプロテクタ本体とから構成していることである。
【発明の効果】
【０００６】
請求項１記載の発明によれば、ハウジング本体の前面部から底部に亘ってプロテクタ本体を設けているから、何らかの原因で底部の側縁部に傷を付けることがなく、永年、外観が見苦しく無く使用でき、しかも必要に応じてこのプロテクタ本体に色彩、文字、数字などを施すことができるので外観も色的に豊かになる等の効果があるハウジング筐体の外側プロテクタが提供できる。
【発明を実施するための最良の形態】
【０００７】
本発明は、防水耐圧機能を持つデジタルカメラを内蔵した例えばアルミニューム製のハウジング本体の前面下側の側縁部に前面から底部に亘ってやや弾力性あるプロテクタ本体をネジ或いは接着剤などで取付ることで、海中カメラ操作などで良く生じる岩等にハウジング本体の下側側縁をぶつける場合、このプロテクタ本体でブロックできる。而も此のプロテクト本体は色彩、模様、文字、図形等が施されるので他と差別できハウジング本体の認識性を高める構造である。
【０００８】
以下に、本発明の実施例に係るハウジング筐体の外側プロテクタについて図１を参照して詳細に説明する。
【０００９】
本実施例に係るプロテクタ本体１はハウジング本体２の全面下側の側縁部に取り付けられる。前記ハウジング本体２は内部に例えば一眼レフデジタルカメラなどが内蔵され、この内蔵カメラを外部から釦操作等で操作できるようにしてある。該ハウジング本体１の前面に突き出ているものはレンズポート３である。
【００１０】
前記プロテクト本体１は此の場合中央で相向する方向に屈曲した弾性を有する部材で弾力性のプラスチック材料を採用する。即ち、プロテクタ本体の形状はハウジング本体２の前面下側から底部に亘っての形状に添接できる形状に形成されている。前記プロテクタ本体１はネジ４のネジ穴５が左右に開けられていて、このネジ穴５に対応する受けネジ穴６がハウジング本体２に空けられている。
【００１１】
しかして、前記プロテクト本体１をハウジング本体２に取り付ける場合は前記プロテクト本体１をハウジング本体２の前面下側でこの側縁部に当てがい、ネジ穴５と受けネジ穴６とを位置的に合わせてネジ４をねじ込んで固定する。之によって、ハイジング本体２の下側側縁部はカバーされる。此の場合、プロテクタ本体１の表面には文字、図形、色彩、模様などを記せば他と差別できるばかりかカラフルなものにできる。
【産業上の利用可能性】
【００１２】
本発明のハイジング筐体の外側プロテクタは海中での撮影に不注意で特にハウジング本体の下側側縁部を岩にぶつけても本体を傷つけることがなく、しかも、カラフルであってダイバーに歓迎されるものである。
【図面の簡単な説明】
【００１３】
【図１】本発明の実施例を説明するためのハウジング本体とプロテクタ本体との組み立て概略斜視図である。
【符号の説明】
【００１４】
１    プロテクト本体
２    ハウジング本体
３    レンズポート
４    ネジ
５    ネジ穴
６    受けネジ穴
【図１】
2009265150.tif 000003